(57)【特許請求の範囲】
【請求項１】
電源コードと、該電源コードが一端側に備えるコネクタに電気的に接続されるインレットを備えて、相互が一体的に組み合わされる一側ケーシング部と他側ケーシング部とからなるケーシング本体とで構成され、
前記一側ケーシング部は、前記コネクタを前記インレットに外側から電気的に接続させた際にその先端面が当接して挿通を阻止し得る面サイズが付与されてなる囲枠部により画成されるインレット用開口部を備え、
前記他側ケーシング部は、前記一側ケーシング部との組合せ時に前記インレット用開口部と対面する位置に、該インレット用開口部からのブレードの突出を可能に形成された前記インレットを備え、
前記ケーシング本体は、前記コネクタを前記インレットに電気的に接続させた際、前記コネクタの前記先端面を前記囲枠部に外側から当接させることで、前記一側ケーシング部と前記他側ケーシング部とを引き離し不能に一体化させたことを特徴とする電気機器のためのケーシング構造。
【請求項２】
前記ケーシング本体は、上方に配置される前記一側ケーシング部を、下方に配置される前記他側ケーシング部に対し施蓋するように覆い被せることで、相互の一体的な組み合わせを可能に形成したことを特徴とする請求項１に記載の電気機器のためのケーシング構造。
【請求項３】
前記ケーシング本体は、前記一側ケーシング部を外箱側とし、該一側ケーシング内に挿入される他側ケーシング部を内箱側とすることで、相互の一体的な組み合わせを可能に形成したことを特徴とする請求項１に記載の電気機器のためのケーシング構造。
【発明の詳細な説明】
【０００１】
【発明の属する技術分野】
本発明は、電源コードが備えるコネクタをケーシング本体側のインレットと電気的に接続させた状態にあるときに、ケーシング本体内での手作業ができないようにした電気機器のためのケーシング構造に関する技術である。
【０００２】
【従来の技術】
図５は、従来からある電気機器と電源コードとの接続関係の一例を示す要部斜視図であり、電気機器のケーシング本体１にはインレット２が、電源コード９の一端側にはコネクタ１０がそれぞれ配設されており、インレット２にコネクタ１０を接続することにより、電気機器に対し給電できるようになっている。
【０００３】
しかも、この場合におけるインレット２は、一体的に組み込まれて内蔵された回路等を保護するための図示しないヒューズを備えており、活線状態にあるコネクタ１０の接続中にはヒューズの交換ができない構造が採用されていた。
【０００４】
一方、図６は、従来からある電気機器と電源コードとの接続関係の他例を示す要部斜視図であり、図５の例と同様に電気機器のケーシング本体５にはインレット６が配設されており、電源コード９の一端側に設けられているコネクタ１０をインレット６に接続することにより、電気機器に対し給電できるようになっている。
【０００５】
そして、図６に示す従来例においては、インレット６とは別体となったヒューズ７が、例えばケーシング本体５内に配設されたプリント配線基板８の適宜位置に付設されるなどして回路等を保護している。
【０００６】
【発明が解決しようとする課題】
ところで、図５に示す従来例によれば、コネクタ１０をインレット２から引き抜かない限りヒューズの交換ができないため、活線状態のもとで作業者がヒューズ等を含む回路側に直接接触するおそれはない。
【０００７】
しかし、図５に示す従来例においては、インレット２の側にヒューズも一体的に組み込まれているので、その時々の状況に応じて最適なヒューズに交換する必要が生じても柔軟には対応できない不都合があった。また、ヒューズを一体化するためインレット２側の構造もいきおい複雑化し、製品コストを押し上げる要因の一つとなる不具合もあった。
【０００８】
一方、図６に示す従来例による場合には、インレット６回りの構造を簡素化できるほか、既設のヒューズ７を別のヒューズと簡単に交換することもできる。しかし、コネクタ１０をインレット６に差し込んだ状態でケーシング本体６内に手指を差し込める構造となっているため、手作業中に活線状態にあるヒューズ７を含む回路側に直接触れるおそれがあった。
【０００９】
本発明は、従来技術にみられた上記課題に鑑み、構造を簡素化するなかでヒューズ交換を含む回路側に対する手作業を安全、かつ、柔軟に行うことができる電気機器のためのケーシング構造を提供することに目的がある。
【００１０】
【課題を解決するための手段】
本発明は上記目的を達成すべくなされたものであり、電源コードと、該電源コードが一端側に備えるコネクタに電気的に接続されるインレットを備えて、相互が一体的に組み合わされる一側ケーシング部と他側ケーシング部とからなるケーシング本体とで構成され、前記一側ケーシング部は、前記コネクタを前記インレットに外側から電気的に接続させた際にその先端面が当接して挿通を阻止し得る面サイズが付与されてなる囲枠部により画成されるインレット用開口部を備え、前記他側ケーシング部は、前記一側ケーシング部との組合せ時に前記インレット用開口部と対面する位置に、該インレット用開口部からのブレードの突出を可能に形成された前記インレットを備え、前記ケーシング本体は、前記コネクタを前記インレットに電気的に接続させた際に前記コネクタの前記先端面を前記囲枠部に外側から当接させることで、前記一側ケーシング部と前記他側ケーシング部とを引き離し不能に一体化させたことに構成上の特徴がある。
【００１１】
この場合、前記ケーシング本体は、上方に配置される前記一側ケーシング部を、下方に配置される前記他側ケーシング部に対し施蓋するように覆い被せることで、相互の一体的な組み合わせを可能に形成したり、前記一側ケーシング部を外箱側とし、該一側ケーシング内に挿入される他側ケーシング部を内箱側とすることで、相互の一体的な組み合わせを可能に形成するのが好ましい。
【００１２】
【発明の実施の形態】
図１は本発明の一例についての組合せ前の状態を、図２は組合せ後の状態をそれぞれ示す全体斜視図であり、電源コード１０１がその一端側に備えるコネクタ１０２との電気的な接続が自在なインレット２７を備えるケーシング本体１１は、相互が一体的に組み合わされる一側ケーシング部１２と他側ケーシング部２２とで構成されている。
【００１３】
これを図１に示す例に即してさらに詳しく説明すれば、一側ケーシング部１２は、例えば方形形状を呈する天板部１３と、該天板部１３の一側縁１３ａ側から垂設された一側板部１４と、該一側板部１４と対面する側に位置する天板部１３の他側縁１３ｂ側から同長となって垂設された他側板部１５とを備えている。
【００１４】
また、天板部１３にあって一側板部１４と他側板部１５との間に位置している側縁１３ｃ，１３ｄのいずれか一方、図示例においては側縁１３ｃの右側角部側からは、画成されたインレット用開口部１７を有する囲枠部１６が他側板部１５と同長となって一体に垂設されている。
【００１５】
一方、他側ケーシング部２２は、天板部１３と略対面合致する大きさの底板部２３と、天板部１３の側縁１３ｃ，１３ｄと対向する側に位置する底板部２３の側縁２３ａ，２３ｂ側に、各別に一側板部１４と他側板部１５との縦長よりも縦長が長く、かつ、相互を同高として立設された一側蓋板部２４と他側蓋板部２５とを備えている。
【００１６】
また、一側蓋板部２４と他側蓋板部２５との間には、これらよりも縦長が短く、かつ、相互を同高とした一側板部２９と他側板部３０とが底板部２３にあって一側蓋板部２４と他側蓋板部２５との間に位置しているそれぞれの側縁２３ｃ，２３ｄ側から立設されている。
【００１７】
さらに、一側蓋板部２４と他側蓋板部２５とのいずれか一方、図示例によれば一側蓋板部２４には、一側ケーシング部１２との組合せ時に囲枠部１６のインレット用開口部１７と対面する位置関係となる上側部２４ａ側にインレット２７がそのブレード２８を外方に突出させて配設されている。
【００１８】
この場合、囲枠部１６は、インレット用開口部１７を介して突出させたインレット２７のブレード２８に電源コード１０１のコネクタ１０２を外側から差し込んで接続状態とした際に、コネクタ１０２の先端面１０２ａの少なくとも一部が当接してその挿通を阻止し得る面サイズを備えて形成されている。また、他側ケーシング部２２の底板部２３上には、回路等を保護すべくインレット２７とは別体となったヒューズ３２を備えるプリント配線基板３１が配設されている。
【００１９】
一方、図３は本発明の他例についての組合せ前の状態を、図４は組合せ後の状態をそれぞれ示す全体斜視図である。
【００２０】
これらの図によれば、電源コード１０１がその一端側に備えるコネクタ１０２と電気的に接続されるインレット５９を備えるケーシング本体４１は、一側ケーシング部４２を外箱側とし、該一側ケーシング４２内への挿入を自在とした他側ケーシング部５２を内箱側とすることで、相互の一体的な組み合わせを可能に形成されている。
【００２１】
これを図３に示す例に即してさらに詳しく説明すれば、一側ケーシング部４２は、例えば相互に対面合致する底板部４３と天板部４４と、これら底板部４３と天板部４４との間に配設される一側板部４５と他側板部４６との全体で、対向２面に開口面４７，４８を有する略直方体形状を呈する角筒構造を備えて形成されている。
【００２２】
また、開口面４７，４８のいずれか一方、図示例においては前方に位置する開口面４７の右上角部には、画成されたインレット用開口部５０を有する囲枠部４９が他側板部４６の上側端部４６ａ側と一体的となって垂設されている。
【００２３】
一方、他側ケーシング部５２は、一側ケーシング４２の底板部４３よりもやや小さな相似形を呈する底板部５３と、組合せ時に該底板部５３の一側ケーシング４２の開口面４７側に位置する一側縁５３ａに該開口面４７内に納まるサイズで立設された一側蓋板部５４と、同様に開口面４８側に位置する他側縁５３ｂ側に該開口面４８内に納まるサイズで立設された他側蓋板部５５とを備えている。
【００２４】
また、一側蓋板部５４と他側蓋板部５５との間に位置する底板部５３の側縁５３ｃ，５３ｄ側からは、これらと同じ縦長の一側板部５６と他側板部５７とが各別に立設されており、その全体で上面に開口面５８を有するボックス形状を呈して形成されている。
【００２５】
さらに、一側蓋板部５４と他側蓋板部５５とのいずれか一方、図示例によれば一側蓋板部５４には、一側ケーシング部４２との組合せ時に囲枠部４９のインレット用開口部５０と対面する位置関係となる上側部５４ａ側にインレット５９がそのブレード６１を外方に突出させて配設されている。
【００２６】
この場合、囲枠部４９は、インレット用開口部５０を介して突出させたインレット５９のブレード６１に電源コード１０１のコネクタ１０２を外側から差し込んで接続状態とした際に、該コネクタ１０２の先端面１０２ａの少なくとも一部が当接してその挿通を阻止し得るサイズを備えて形成されている。また、他側ケーシング部５２の底板部５３上には、回路等を保護すべくインレット５９とは別体となったヒューズ６３を備えるプリント配線基板６２が配設されている。
【００２７】
次に、本発明の作用につき図１の例を参酌して説明すれば、ケーシング本体１１の組立は、他側ケーシング部２２に対し一側ケーシング部１２を上方から施蓋するようにして覆い被せて行われる。
【００２８】
すなわち、一側ケーシング部１２は、その囲枠部１６が他側ケーシング部２２のインレット２７の前方にて対面するように配置し、インレット用開口部１７からブレード２８を突出させながら送り込み他側ケーシング部２２の側と相互に対面合致するように組み合わせる。これにより、電気機器のケーシング本体１１としてその全体が一体的に組み立てられる。
【００２９】
図２に示すようにケーシング本体１１が組み立てられた後に電気機器として使用する際には、電源コード１０１に設けられたコネクタ１０２がインレット２７側に差し込まれる。
【００３０】
このとき、コネクタ１０２の先端面１０２ａは、一側ケーシング部１２の囲枠部１６の少なくとも一部に当接するので、ケーシング本体１１を分離した一側ケーシング部１２と他側ケーシング部２２とに引き離すことはできない。つまり、活線状態にある時は、作業者がヒューズ３０等を含む回路側に直接接触することは構造的にできないことになる。
【００３１】
また、ヒューズ３０の交換やプリント配線基板２９が備える回路等の点検・修理の必要が生じた際には、電源コード１０１のコネクタ１０２をインレット２７側から引き抜かない限り、作業を行うことができない。つまり、ヒューズ３０の交換やプリント配線基板２９が備える回路等の点検・修理は、常に非活線状態のもとで安全に行うことができる。
【００３２】
一方、図３の例を参酌して本発明の作用を説明すれば、ケーシング本体４１の組立は、外箱としての一側ケーシング部４２に対し、その開口面４８側から内箱としての他側ケーシング部５２を、一側蓋板部５４側から送り込むことにより行われる。
【００３３】
このようにして一側ケーシング部４２内に他側ケーシング部５２を送り込むことにより、他側ケーシング部５２が一側蓋板部５４に備えるインレット５９のブレード６１を、一側ケーシング部４２が開口面４７側に備える囲枠部４９のインレット用開口部５０から突出させた状態のもとで、一側ケーシング部４２と他側ケーシング部５２とを組み合わせることができる。これにより、電気機器のケーシング本体４１としてその全体が一体的に組み立てられる。
【００３４】
図４に示すようにケーシング本体４１が組み立てられた後に電気機器として使用する際には、電源コード１０１に設けられたコネクタ１０２がインレット５９側に差し込まれる。
【００３５】
このとき、コネクタ１０２の先端面１０２ａは、一側ケーシング部４２の囲枠部４９の少なくとも一部に当接するので、ケーシング本体４１を分離した一側ケーシング部４２と他側ケーシング部５２とに引き離すことはできない。つまり、活線状態にある時は、作業者がヒューズ６３等を含む回路側に直接接触することは構造的にできないことになる。
【００３６】
また、ヒューズ６３の交換やプリント配線基板６２が備える回路等の点検・修理の必要が生じた際には、電源コード１０１のコネクタ１０２をインレット５９側から引き抜かない限り、作業を行うことができない。つまり、ヒューズ６３の交換やプリント配線基板６２が備える回路等の点検・修理は、常に非活線状態のもとで安全に行うことができる。
【００３７】
なお、以上は、本発明を図示例にしたがって説明したものであり、その実施に際しては上述した内容に限定されるものではない。例えば、ケーシング本体１１，４１を構成する一側ケーシング部１２，４２と他側ケーシング部２２，５２との具体的な形状に関しても、インレット２７，５９を囲枠部１６，４９と当接状態にあるコネクタ１０２に接続できるようにインレット用開口部１７，５０から露出させることができさえすれば、図示例に限らず適宜採用することができる。例えば、組立後のケーシング本体１１，４１において二重構造となっている部位は、軽量化や材料コストを軽減する観点から可能な限りいずれか一方の側を省略した構造とすることができる。
【００３８】
【００３９】
【発明の効果】
以上述べたように本発明によれば、ケーシング本体は、電源コードが備えるコネクタをケーシング本体が備えるインレットから引き離さない限り、分離した一側ケーシング部と他側ケーシング部として引き離すことができないので、ヒューズの交換やプリント配線基板が備える回路等の点検・修理も常に非活線状態のもとでしか行うことができず、作業の安全性をより高めることができる。
【００４０】
また、ケーシング本体を分離可能な一側ケーシング部と他側ケーシング部との組合せ構造としたことに伴い、インレット側の構造を簡素化するなかで、ヒューズの交換作業等も柔軟、かつ、簡易に行うことができる。
【図面の簡単な説明】
【図１】本発明の一例についての組合せ前の状態を示す全体斜視図。
【図２】図１の例についての組合せ後の状態を示す全体斜視図。
【図３】本発明の他例についての組合せ前の状態を示す全体斜視図。
【図４】図３の例についての組合せ後の状態を示す全体斜視図。
【図５】従来からある電気機器と電源コードとの接続関係の一例を示す要部斜視図。
【図６】従来からある電気機器と電源コードとの接続関係の他例を示す要部斜視図。
【符号の説明】
１ ケーシング本体
２ インレット
５ ケーシング本体
６ インレット
７ ヒューズ
８ プリント配線基板
９ 電源コード
１０  コネクタ
１１ ケーシング本体
１２ 一側ケーシング部
１３ 天板部
１３ａ 一側縁
１３ｂ 他側縁
１３ｃ，１３ｄ側縁
１４ 一側板部
１５ 他側板部
１６ 囲枠部
１７ インレット用開口部
２２ 他側ケーシング部
２３ 底板部
２３ａ，２３ｂ，２３ｃ，２３ｄ 側縁
２４ 一側蓋板部
２４ａ 上側部
２５ 他側蓋板部
２７ インレット
２８ ブレード
２９ 一側板部
３０ 他側板部
３１ プリント配線基板
３２ ヒューズ
４１ ケーシング本体
４２ 一側ケーシング部
４３ 底板部
４４ 天板部
４５ 一側板部
４６ 他側板部
４６ａ 上側端部
４７，４８ 開口面
４９ 囲枠部
５０ インレット用開口部
５２ 他側ケーシング部
５３ 底板部
５３ａ 一側縁
５３ｂ 他側縁
５３ｃ，５３ｄ 側縁
５４ 一側蓋板部
５４ａ 上側部
５５ 他側蓋板部
５６ 一側板部
５７ 他側板部
５８ 開口面
５９ インレット
６１ ブレード
６２ プリント配線基板
６３ ヒューズ
１０１ 電源コード
１０２  コネクタ
１０２ａ 先端面
【図１】
0004588228.tif 000002
【図２】
0004588228.tif 000003
【図３】
0004588228.tif 000004
【図４】
0004588228.tif 000005
【図５】
0004588228.tif 000006
【図６】
0004588228.tif 000007